(57)【要約】      （修正有）【課題】構造が簡単で、製造が容易な電気コネクタを提供する。【解決手段】本電気コネクタは、絶縁本体１０、複数の端子、二つの挟持部材５０及び二つのロックアセンブリを包含し、各ロックアセンブリは固定部材４０とソルダー部材６０を包含し、固定部材は固定部と、該固定部前側より延伸された延伸部４３、該延伸部下側より内向きに水平に延伸された基部４４を有し、該基部に前後方向の取付け溝と該取付け溝に連通する左右方向の活動溝４４２が開設され、該ソルダー部材は二つのソルダー板６１、該ソルダー板の対応する一側より上向きに折り曲げられ延伸された連接板６２、二つの該連接板の上辺縁を連接する嵌め部６３を有し、嵌め部は基部の上方に位置し、連接板は可動に活動溝内に係止され、基部が嵌め部と連接板が囲んでなる空間内で上下方向の移動間隙を有し、これによりロックアセンブリが一定範囲内で上下移動可能となる。【選択図】図５
0003165188.tif 000002
【実用新案登録請求の範囲】
【請求項１】
電気コネクタにおいて、
絶縁本体であって、複数の端子溝が設けられ、該絶縁本体の前表面両側に、係止溝と該係止溝の下方に位置する固定溝が開設された、上記絶縁本体と、
該絶縁本体の端子溝内に挿入される複数の端子と、
該絶縁本体の両側の係止溝内に係止された二つの挟持部材と、
二つのロックアセンブリであって、該絶縁本体の両側にそれぞれ取付けられ、固定部材とソルダー部材を包含し、該固定部材は固定部と、該固定部の前側縁より前向きに延伸された延伸部と、該延伸部前端下側縁が内向きに水平に延伸されてなる基部を包含し、該基部に前後方向に延伸された取付け溝と、該取付け溝に連通し左右方向に延伸された活動溝が開設され、該固定部は該固定溝内に係止され、該ソルダー部材は、回路板にハンダ付け可能な二つのソルダー板と、これらソルダー板の対応する一側縁中部が上向きに折り曲げられ延伸されてなる連接板と、これら連接板の上辺縁を水平に連接する嵌め部を包含し、該嵌め部は縦に該取付け溝を貫通した後に該基部の上方に水平に位置し、該連接板は該活動溝内に可動に係止され、該基部は該嵌め部と該連接板が囲んで成る空間内で上下方向の移動間隙を有する、上記二つのロックアセンブリと、
を包含したことを特徴とする、電気コネクタ。
【請求項２】
請求項１記載の電気コネクタにおいて、該固定部材は、該固定部の上側縁前端が上向きに延伸されてなる当接部を有し、該当接部は該絶縁本体の前表面に当接することを特徴とする、電気コネクタ。
【請求項３】
請求項１記載の電気コネクタにおいて、該挟持部材が長板状の係止部を有し、該挟持部材の係止部の上端辺縁部分が外向きさらに下向きに折り曲げられ延伸されて係止片が形成され、該挟持部材の係止部前端に保持部が設けられ、該係止部の内側表面中部に前後に延伸されたリブが凸設され、該係止部の下辺縁部分に外向きにプレス加工されてなるフックが設けられ、該挟持部材の係止片の前端辺縁が前向きに延伸されて長板状の弾性アームが形成されたことを特徴とする、電気コネクタ。
【請求項４】
請求項３記載の電気コネクタにおいて、該挟持部材の係止部の下端辺縁に前端まで延伸された開放溝が開設され、該固定部の前側縁が内向きに延伸された後さらに外向きに折り曲げられ、さらに前向きに延伸されて延伸部が形成され、該延伸部の前端が該開放溝より該挟持部材の外側に伸出することを特徴とする、電気コネクタ。
【考案の詳細な説明】
【技術分野】
【０００１】
本考案は一種のコネクタにかかり、特に一種の、両側にロックアセンブリが設けられた電気コネクタに関する。
【背景技術】
【０００２】
図１及び図２に示されるように、周知の電気コネクタ１００’は、絶縁本体１０’、複数の端子２０’、二つの、それぞれ絶縁本体１０’の一側に取付けられた固定部材３０’及び二つのソルダー部材４０’を包含する。
【０００３】
絶縁本体１０’には複数の端子溝１１’が開設され、絶縁本体１０’の前端両側がさらにそれぞれ前向きに延伸されて位置制限部１３’が形成され、位置制限部１３’の前端に係止部１３１’が設けられ、絶縁本体１０’の前端両側の、それぞれ位置制限部１３’の外側に固定溝１２’が開設されている。
【０００４】
複数の端子２０’は複数の端子溝１１’中に挿入され、複数の端子２０’はそれぞれが回路板にハンダ付けされ得るソルダーピン２１’を有している。
【０００５】
固定部材３０’は長板状の固定部３１’、固定部３１’の略中部の上端辺縁が外向きさらに下向きに折り曲げられ延伸されてなる係止ブロック３２’、係止ブロック３２’の下端前側が前向きに延伸されてなる延伸アーム３３’、延伸アーム３３’末端下辺縁が内向きに折り曲げられ延伸されてなる基部３４’、及び固定部３１’前端に接続された挟持部３５’、固定部３１’末端上辺縁が内向きに折り曲げられ延伸されてなる嵌止部３１１’を有する。基部３４’には開放溝３４１’が開設され、開放溝３４１’の外側溝縁より内向きに二つの弾性ストリップ３４２’が延伸され、開放溝３４１’の内側溝縁が続けて延伸されて二つの滑り溝３４３’が形成されている。
【０００６】
ソルダー部材４０’は二つの、該回路板にハンダ付けされるソルダー板４１’と二つのソルダー板４１’を連接する嵌め部４２’を包含する
【０００７】
固定部材３０’の固定部３１’の後端は固定溝１２’中に固定され、係止ブロック３２’が絶縁本体１０’の前端両側に当接し、固定部３１’が位置制限部１３’に位置制限され、嵌止部３１１’が係止部１３１’を緊密に保持し、固定部材３０’の挟持部３５’の電子カード（図示せず）に対する挟持力を増強する。
【０００８】
固定部材３０’は電子カードを安定して電気コネクタ１００’に挿入させて左右に移動させず、ソルダー部材４０’の嵌め部４２’は開放溝３４１’中の二つの弾性ストリップ３４２’の間より二つの弾性ストリップ３４２’を押し開いて滑り溝３４３’中に嵌入し、且つソルダー部材４０’は滑り溝３４３’中にあって上下左右に移動可能で、これによりソルダー板４１’が回路板にハンダ付けされた後、固定部材３０’は一定範囲内で移動或いは回転自在とされ、こうして構造が二つのソルダー部材４０’のソルダー板４１’と複数の端子２０’のソルダーピン２１’が同一平面上に位置することが可能となり、電子カード抜き差し時に、電気コネクタ１００’が反り上がって複数の端子２０’のソルダーピン２１’のぐらつきをもたらすのを防止できる。
【０００９】
ただし、周知の電気コネクタ１００’は弾性ストリップ３４２’、滑り溝３４３’及びソルダー部材４０’の嵌め部４２’の構造設計により、二つのソルダー部材４０’のソルダー板４１’と複数の端子２０’のソルダーピン２１’の共面を達成しているが、その構造は複雑で、製造が容易でない。
【考案の概要】
【考案が解決しようとする課題】
【００１０】
本考案の目的は、上述の既存の技術の不足を克服し、構造が簡単で、製造が容易な電気コネクタを提供することにある。
【課題を解決するための手段】
【００１１】
上述の目的を達成するため、本考案の提供する電気コネクタは、絶縁本体、該絶縁本体に挿入される複数の端子、二つの、それぞれ絶縁本体の両側に設置される挟持部材及び二つのロックアセンブリを包含する。
【００１２】
該絶縁本体に複数の端子溝が開設され、該絶縁本体の前表面両側に係止溝と、該係止溝の下方に位置する固定溝がそれぞれ開設される。二つの挟持部材は係止溝内に係止される。
【００１３】
上述の各ロックアセンブリは固定部材とソルダー部材を包含する。該固定部材は固定部と、該固定部前側縁より延伸された延伸部、該延伸部前端下側縁が内向きに水平に延伸されてなる基部、該基部上に前後方向に延伸された取付け溝と、二つのそれぞれ該取付け溝に連通し左右方向に延伸された活動溝が開設されている。該固定部は該固定溝内に係止される。
【００１４】
該ソルダー部材は回路板にハンダ付け可能な二つのソルダー板、これらソルダー板の対応する一側縁の中部が上向きに折り曲げられて延伸されてなる連接板、及びこれら連接板の上辺縁を水平に連接する嵌め部を有する。該嵌め部は縦方向に該取付け溝を通過した後、基板上方に水平に位置し、該連接板は該活動溝内に可動に係止され、該基部の該嵌め部と該連接板で囲まれてなる空間内に上下方向の移動間隙が形成されている。
【考案の効果】
【００１５】
本考案の電気コネクタは、固定部材と挟持部材が周知の技術における固定部材の代わりに用いられて、それぞれ固定と挟持の作用を達成し、さらに固定部材の基部上の取付け溝及び活動溝が周知の技術中の基部の弾性ストリップ及び滑り溝の構造の代わりに用いられている。これにより、本考案の電気コネクタのロックアセンブリは端子と共面を達成し、且つ構造が簡単で、製造が容易である。
【図面の簡単な説明】
【００１６】
【図１】周知の電気コネクタの立体図である。
【図２】周知の電気コネクタの立体分解図である。
【図３】本考案の電気コネクタの実施例の立体図である。
【図４】図３の電気コネクタの立体分解図である。
【図５】図３の電気コネクタの側面図である。
【考案を実施するための形態】
【００１７】
本考案の技術内容、構造特徴、達成する目的を詳細に説明するため、以下に実施例を挙げ並びに図面を組み合わせて説明する。
【００１８】
図３及び図４を参照されたい。本考案の電気コネクタ１００は、絶縁本体１０、複数の第１端子２０、複数の第２端子３０、それぞれが絶縁本体１０の一側に取付けられる二つの挟持部材５０及び二つのロックアセンブリを包含する。上述のロックアセンブリは固定部材４０とソルダー部材６０を包含する。
【００１９】
図４に示されるように、絶縁本体１０の前表面には電子カード（図示せず）が挿入される嵌め溝１１が設けられる。絶縁本体１０の前表面下部には、嵌め溝１１と連通する複数の第１端子溝１２が開設され、絶縁本体１０の前表面上部には、嵌め溝１１と連通する第２端子溝１３が後ろ向きに開設されている。絶縁本体１０の前表面の、嵌め溝１１の両側にはそれぞれ係止溝１４が開設され、且つ絶縁本体１０の各係止溝１４の下方内側には固定溝１５が開設されている。
【００２０】
上述の複数の第１端子２０は絶縁本体１０の複数の第１端子溝１２内に挿入され、上述の複数の第２端子３０は絶縁本体１０の複数の第２端子溝１３内に挿入される。複数の第１端子２０と複数の第２端子３０はそれぞれソルダーピン２１、３１を有する。
【００２１】
上述の固定部材４０は長板状の固定部４１、該固定部４１の上側縁前端が上向きに延伸されてなる当接部４２、該固定部４１の前側縁が前向きに延伸された後にさらに外向きに折り曲げられてさらに前向きに延伸されてなる延伸部４３、及び延伸部４３前端下側縁が内向きに水平に延伸されてなる基部４４を有する。基部４４には前後方向に延伸された取付け溝４４１と、該取付け溝４４１の両端に連通し左右方向に延伸された二つの活動溝４４２が開設されている。
【００２２】
上述の挟持部材５０は電子カードを挟持するのに用いられ、それはそれぞれ絶縁本体１０の両側の係止溝１４内に係止される。該挟持部材５０は長板状の係止部５１を有し、係止部５１の上端辺縁部分が外向きさらに下向きに折り曲げられて係止片５２が形成され、係止部５１前端に保持部５３が設けられ、保持部５３は電子カードを安定して電気コネクタ１００に挿入させてぐらつかせない。係止部５１の内側表面中部に前後に延伸されたリブ５１１が設けられ、係止部５１の下端辺縁部分に外向きに前端に延伸された開放溝５１２が開設され、係止部５１の下辺縁部分に外側に向けてプレス加工されてなるフック５１３が設けられ、係止片５２の前端辺縁が前向きに延伸されて長板状の弾性アーム５２１が形成されている。
【００２３】
ソルダー部材６０は回路板にハンダ付け可能な二つのソルダー板６１と、二つのソルダー板６１の対応する一側縁中部が上向きに折り曲げられ延伸されてなる連接板６２、及び水平に二つの連接板６２の上辺縁を連接する嵌め部６３を包含する。
【００２４】
図３から図５を参照されたい。本考案の電気コネクタ１００を組み立てる時は、複数の第１端子２０、及び複数の第２端子３０のソルダーピン２１、３１が回路板にハンダ付けされる。挟持部材５０の係止部５１の後端は係止溝１４内に係止され、且つリブ５１１の一端及びフック５１３が内外両側よりその保持力を強化している。係止片５２の後端縁は絶縁本体１０の前表面に当接する。ソルダー部材６０の嵌め部６３は縦に取付け溝４４１を通過した後に水平に基部４４の上方に位置し、連接板６２は可動に活動溝４４２内に係止され、ソルダー板６１は基部４４の下方に位置し、これにより、ソルダー部材６０が固定部材４０の基部４４に組合せられる。固定部材４０の固定部４１は固定溝１５内に係止され、当接部４２は絶縁本体１０の前表面に当接し、延伸部４３の前端は開放溝５１２より挟持部材５０の外側に伸出する。さらにソルダー板６１が回路板にハンダ付けされる。
【００２５】
使用過程中に、電子カードが挟持部材５０より挿入される時、弾性アーム５２１が保持部５３を補助して両側より電子カードを挟持し、係止部５１の過度の変形を防止する。且つ固定部材４０の基部４４はソルダー部材６０の嵌め部６３と連接板６２が囲んでなる空間内にあって、上下方向の移動間隙７０を有し、これにより、ロックアセンブリは一定範囲内で上下移動可能とされ、これにより、第１端子２０と第２端子３０のソルダーピン２１、３１とソルダー部材６０のソルダー板６１が共面の要求を達成する。
【００２６】
総合すると、本考案の電気コネクタ１００は固定部材４０と挟持部材５０が周知の技術の固定部材３０’のかわりに用いられ、それぞれ固定と挟持の作用を達成し、さらに固定部材４０の基部４４の取付け溝４４１と活動溝４４２が周知の技術中の基部３４’の弾性ストリップ３４２’及び滑り溝３４３’の構造の代わりに用いられている。これにより、本考案の電気コネクタのロックアセンブリは端子と共面を達成し、且つ構造が簡単で、製造が容易である。
【符号の説明】
【００２７】
１００’  電気コネクタ              １０’  絶縁本体
１１’  端子溝                      １２’  固定溝
１３’  位置制限部                  １３１’  係止部
２０’  端子                        ２１’  ソルダーピン
３０’  固定部材                    ３１’  固定部
３１１’  嵌止部                    ３２’  係止ブロック
３３’  延伸アーム                  ３４’  基部
３４１’  開放溝                    ３４２’  弾性ストリップ
３４３’  滑り溝                    ３５’  挟持部
４０’  ソルダー部材                ４１’  ソルダー板
４２’  嵌め部
１００  電気コネクタ                １０  絶縁本体
１１  嵌め溝                        １２  第１端子溝
１３  第２端子溝                    １４  係止溝
１５  固定溝                        ２０  第１端子
２１  ソルダーピン                  ３０  第２端子
３１  ソルダーピン                  ４０  固定部材
４１  固定部                        ４２  当接部
４３  延伸部                        ４４  基部
４４１  取付け溝                    ４４２  活動溝
５０  挟持部材
５１  係止部                        ５１１  リブ
５１２  開放溝                      ５１３  フック
５２  係止片                        ５２１  弾性アーム
５３  保持部                        ６０  ソルダー部材
６１  ソルダー板                    ６２  連接板
６３  嵌め部                        ７０  間隙
【図１】
0003165188.tif 000003
【図２】
0003165188.tif 000004
【図３】
0003165188.tif 000005
【図４】
0003165188.tif 000006
【図５】
0003165188.tif 000007